(57)【要約】  【課題】  コースターやお盆などの、物を載置したり、物を載置して運ぶための面状体の風趣や見映えを従来のものよりも向上させる。  【解決手段】  従来の面状体がどれも同じように感じられてしまう理由は、いずれも平面形状に囚われすぎているためであった。そこで、厚みを有している鑑賞物、例えば草花や小物を内部に収納することができるプレートを提供する。すなわち、光透過性を有する天板１と、所定の厚みを有する枠材２と、底板３と、によって形成される内部空間４に、厚みを有する鑑賞物５を配置する。天板１の材料には、軽量で透明性が高く、加工も容易なアクリルを用いるのが好適である。【選択図】  図２
2006158437.tif 000002
【特許請求の範囲】
【請求項１】
光透過性を有する天板と、所定の厚みを有する枠材と、底板と、によって形成される内部空間に、厚みを有する鑑賞物を配置することを特徴とする飾りプレート。
【請求項２】
前記飾りプレートを構成する材料のうち、少なくとも前記天板がアクリルから成ることを特徴とする請求項１に記載の飾りプレート。
【発明の詳細な説明】
【技術分野】
【０００１】
本発明は、草花や小物などの鑑賞物を内部に配置することが可能なプレートに関する。
【背景技術】
【０００２】
日常生活において、とりわけ飲食に関連して、物を載置するための面状体が各種使用されている。このような面状体の例としては、グラスを置くためのコースター、急須を置くための急須置き、おしぼりを置くためのおしぼり置きなどがある。また、お皿、器、コップなどを載置し、それらを運搬するためのお盆や食事用プレートのような面状体もある。これらの面状体は、グラスやカップなどから放出される熱や水分が机に直接伝わらないようにしたり、器などに入った料理がこぼれた場合に周囲を汚さないようにしたりする保護材としての役割を果たしている。
【０００３】
これらの面状体は、その役割を果たすことが可能な範囲で、様々な構成のものが存在する。例えばコースターは一般に、木材、コルク、合成樹脂、ゴム、厚手の紙などから成っており、単一の材料のみから成るものもあれば、複数の材料が組み合わされて成るものもある。平面形状は、円形や矩形をはじめとする種々のものがある。また、表面に文字や図柄が印刷されているものもある。
【０００４】
さらに、面状体の他の例として、特許文献１には写真や絵などの平面状の鑑賞物を保管し、コースターや額などに使用することができる鑑賞物固定パネルが開示されている。この鑑賞物固定パネルは、板状の枠材の両側を外枠によって挟み込むことにより、枠材の内側部分に空間が形成される。この空間に各利用者が好みの写真などを入れることが可能である。
【０００５】
しかし、特許文献１に記載の鑑賞物固定パネルを含め、およそコースターといえば所定の大きさおよび厚みを有する平板であり、今ひとつ物足りなさを感じてしまうものがあった。このことはコースターに限らず、上述したような、物を載置するために使用される面状体全般に当てはまる。いずれも多種多様のものが存在しているにもかかわらず、新鮮味に欠けているという問題がある。
【０００６】
【特許文献１】特開平9-191995号公報
【発明の開示】
【発明が解決しようとする課題】
【０００７】
そこで本発明が解決しようとする課題は、風趣や見映えを従来のものよりも遙かに向上させた、物を載置したり物を載置して運搬したりするためのプレートを提供するものである。
【課題を解決するための手段】
【０００８】
本願発明者らは、このような面状体に関して鋭意研究を重ねた結果、従来の物を載置する面状体は、いずれも平板という形状に囚われすぎてきたという点に着目し、内部に立体的な鑑賞物を配置するということに想到した。このようにして成された本発明に係る飾りプレートは、光透過性を有する天板と、所定の厚みを有する枠材と、底板と、によって形成される内部空間に、厚みを有する鑑賞物を配置することを特徴とする。
【発明の効果】
【０００９】
本発明に係る飾りプレートは、内部空間に、草花や小物などの、厚みを有する鑑賞物を配置することができるため、これまで平面的なものしか存在しなかった面状体のデザインの自由度が格段に向上するという効果がもたらされる。また、飾りプレートの大きさや形状を変化させることにより、コースター、急須置き、おしぼり置き、お盆、食事プレートなど、用途に応じた飾りプレートを得ることが可能である。そして、本発明の飾りプレートの利用者は、光透過性を有する天板を通してその鑑賞物をじっくりと味わいつつ見て楽しむことができる。
【発明を実施するための最良の形態】
【００１０】
本発明に係る飾りプレートの基本的な部材構成は、図１（ａ）に示すように、天板１、枠材２、底板３から成る。底板３の表面上に鑑賞物５を配置しておき、枠材２の両側を天板１および底板３で挟み込むようにして、これらの部材を接着などの方法によって一体化させることにより、内部空間４に鑑賞物５が収納された飾りプレートが形成される。なお、これらの部材は、それぞれが独立した構成であってもよいし、底板と枠材、または枠材と天板が一体的に構成されていてもよい。なお、本発明に係る飾りプレートの平面形状は、円形、楕円形、矩形などに限定されることなく、自由な形状とすればよい。
【００１１】
天板は、光透過性を有している平板である。内部空間に配置された鑑賞物はこの天板を通して観察されるため、その透明度はなるべく高い方が好ましいが、鑑賞物を視認することが可能であるならば、淡色に着色されていたり、擦りガラス状に半透明であってもよい。天板の材料は、光透過性を有している材料であるガラスや各種の樹脂を使用することができるが、本発明においては、透明度が高く軽量で、強度や耐久性に優れ、且つ加工性が高いアクリルを好適に用いることができる。
【００１２】
枠材は、所定の厚みを有する枠状の部材である。通常はこの厚みによって飾りプレートの内部空間の高さが決定されるため、内部に配置する鑑賞物の高さに応じて厚みを適宜決定すればよい。底板は、表面に鑑賞物を配置するための平板状の部材である。枠材および底板の材料は特に限定されないが、軽量であって高い強度や耐久性を有しており、加工性にも優れているという理由から、天板と同様にアクリルが好適である。また、木材やアルミニウムを用いるならば、材料の質感を活かした飾りプレートを得ることができる。
【００１３】
鑑賞物は、内部空間に配置して鑑賞することができるような物であれば、いかなるものでもよい。また、鑑賞物が生草や生花であってもよい。生の草花を配置する場合には、短期間でしおれたり枯れたりしないように、内部空間を真空とすることもできる。なお、鑑賞物は内部空間内で不所望に動かないように底板３の上に接着固定しておくことが望ましい。
【００１４】
部材同士を一体化させるために接着剤を用いる場合には、部材が透明であれば接着面が見えてしまうことがあり、美観上好ましくない。この対策として、枠材や底材の材料の色を、透明ではなく例えば乳白色などの、なるべく硬化後の接着剤の色に近い有色とすることができる。また、接着面を見えなくするために、天板上の接着面に対応する位置に、不透明な有色の遮蔽部材を設けることもできる。
【実施例】
【００１５】
本発明に係る飾りプレートの一実施例であるコースター１０を図２に示す。アクリル板をNC（Numerical Control）加工機によって抜き加工することにより天板１１、枠材１２、底板１３を作成した。鑑賞物として草花１５を底板１３の表面に接着剤で固定した後、天板１１、枠材１２、底板１３を接着剤を用いて接着することにより、コースター１０を得た。
【００１６】
本発明に係る飾りプレートの他の実施例であるお盆２０を図３に示す。また、お盆２０の模式断面図を図３（ｂ）に示す。お盆２０の材料も全てアクリルを使用した。アクリル板をNC加工機によって抜きおよび削り加工を行うことにより天板２１、枠材２２、底板２３を作成し、これらの部材同士を接着剤によって接着し、お盆２０を得た。天板２１は枠材２２の内側の枠材肩部２２ａ上に設けられており、枠材２２の最外部である枠材立設部２２ｂが、天板２１の上面の高さよりも高くなるように構成されている。この構成により、天板２１上に水などの液体が万一こぼれたとしても、その液体がお盆２０の端部（すなわち、枠材立設部２２ｂ）を超えて周囲にこぼれてしまうことが防止される。
【００１７】
本発明に係る飾りプレートのその他の実施例を、図４の断面図から説明する。図４（ａ）に示す飾りプレートは、底部と枠材が一体的に形成されており、枠材肩部２ａと透明な天板１との間の接着剤が見えないようにするために、天板１を挟んで枠材肩部２ａとほぼ同位置に遮蔽部材８が設けられている。
【００１８】
また、別の実施例である図４（ｂ）に示す飾りプレートは、底板３の下部に脚部９を備えている。脚部９を設けることにより、このプレートを机などに載置した際に底板３の下部と机との間に脚部９の高さ分の空間が形成されるため、その空間に指を挿入することにより、簡単にプレートを持ち上げることができる。さらに、飾りプレートの端部が机に張り付いてしまうという問題も解決される。
【００１９】
以上、本発明に係る飾りプレートを数例挙げて説明したが、本発明の実施形態は上記のものに限られることはない。鑑賞性を高めるために、例えば底板を光透過性の材料とし、その下部からLED（Light Emitting Diode）などのライトを配置して点灯させることもできる。また、本発明の飾りプレートは置物として、また壁に掛けたりすることによって観賞用として使用することももちろん可能である。
【図面の簡単な説明】
【００２０】
【図１】本発明に係る飾りプレートの（ａ）構成斜視図、（ｂ）断面図。
【図２】本発明に係る飾りプレートの一実施例であるコースターの斜視図。
【図３】本発明に係る飾りプレートの一実施例であるお盆の（ａ）斜視図、（ｂ）模式断面図。
【図４】本発明に係る飾りプレートの他の実施例。
【符号の説明】
【００２１】
１…天板
２…枠材
３…底板
４…内部空間
５…鑑賞物
【図１】
2006158437.tif 000003
【図２】
2006158437.tif 000004
【図３】
2006158437.tif 000005
【図４】
2006158437.tif 000006